(57)【要約】【課題】タブレットを利用して機体各部からの情報を表示させるもので、タブレットを運転席前側の表示パネルにセットするにあたり、タブレットをほこりや水から保護し、機体振動からも安全に保護できる表示パネル構造を実現することにある。【解決手段】機体各部からの情報を表示させるタブレット（１０）を運転席（６）前側の表示パネル（９）に形成したタブレット装着用の凹陥部（１１）に装着する構成とし、前記凹陥部（１１）の左右前後の縦壁（１２）上部を前記表示パネル（９）上面よりも上方に突設させた。前記タブレット（１０）の上面を覆う透明の保護カバー（１３）を設けた。前記タブレット（１０）は、弾性体（１５）を介して前記凹陥部（１１）の内縁部に保持される。【選択図】図３
2018117556.tif 000002
【特許請求の範囲】
【請求項１】
機体各部からの情報を表示させるタブレット（１０）を運転席（６）前側の表示パネル（９）に形成したタブレット装着用の凹陥部（１１）に装着する構成とし、前記凹陥部（１１）の左右前後の縦壁（１２）上部を前記表示パネル（９）上面よりも上方に突設させた作業車両の表示パネル構造。
【請求項２】
前記タブレット（１０）の上面を覆う透明の保護カバー（１３）を設けた請求項１記載の作業車両の表示パネル構造。
【請求項３】
前記タブレット（１０）は、弾性体（１５）を介して前記凹陥部（１１）の内縁部に保持される請求項２記載の作業車両の表示パネル構造。
【請求項４】
前記タブレット（１０）を前記凹陥部（１１）に装着した状態で、該タブレット（１０）の下面と前記凹陥部（１１）の底面との間に所定の空間部（１７）が形成される構成とした請求項２又は請求項３記載の作業車両の表示パネル構造。
【請求項５】
前記凹陥部（１１）の底面に通気孔（１８）を設けた請求項２又は請求項３又は請求項４項記載の作業車両の表示パネル構造。
【請求項６】
前記保護カバー（１３）は、前記タブレット（１０）との間において前記所定の空間部（１７）を保持して開閉自在に構成してあることを特徴とする請求項４または請求項５に記載の作業車両の表示パネル構造。
【発明の詳細な説明】
【技術分野】
【０００１】
この発明は、コンバイン等の作業車両の表示パネル構造に関する。
【背景技術】
【０００２】
従来、例えば、特許文献１には、携帯電話機を作業部の各部を制御する制御部に接続して制御部からの情報を表示できるようし、移動作業機の操縦部に装着できるようにした技術が開示されている。
【先行技術文献】
【特許文献】
【０００３】
【特許文献１】特開２００４−２８３１２９号公報
【発明の概要】
【発明が解決しようとする課題】
【０００４】
従来技術においては、携帯電話機の表示部に作業部からの情報を表示して作業するものであるが、この携帯電話機に替えてタブレットを利用して、作業部各部からの情報を表示させる場合、タブレットを運転席前側の表示パネルにセットするにあたり、このタブレットをほこりや水から保護し、機体振動からも保護する必要がある。
【課題を解決するための手段】
【０００５】
この発明は、上記課題を解決すべく次のような技術的手段を講じた。
【０００６】
すなわち、請求項１記載の発明は、機体各部からの情報を表示させるタブレット（１０）を運転席（６）前側の表示パネル（９）に形成したタブレット装着用の凹陥部（１１）に装着する構成とし、前記凹陥部（１１）の左右前後の縦壁（１２）上部を前記表示パネル（９）上面よりも上方に突設させた作業車両の表示パネル構造とする。
【０００７】
請求項２記載の発明は、前記タブレット（１０）の上面を覆う透明の保護カバー（１３）を設けた請求項１記載の作業車両の表示パネル構造とする。
【０００８】
請求項３記載の発明は、前記タブレット（１０）は、弾性体（１５）を介して前記凹陥部（１１）の内縁部に保持される請求項２記載の作業車両の表示パネル構造とする。
【０００９】
請求項４記載の発明は、前記タブレット（１０）を前記凹陥部（１１）に装着した状態で、該タブレット（１０）の下面と前記凹陥部（１１）の底面との間に所定の空間部（１７）が形成される構成とした請求項２又は請求項３記載の作業車両の表示パネル構造とする。
【００１０】
請求項５記載の発明は、前記凹陥部（１１）の底面に通気孔（１８）を設けた請求項２又は請求項３又は請求項４記載の作業車両の表示パネル構造とする。
【００１１】
請求項６記載の発明は、前記保護カバー（１３）は、前記タブレット（１０）との間において前記所定の空間部（１７）を保持して開閉自在に構成してある請求項４または請求項５に記載の作業車両の表示パネル構造とする。
【発明の効果】
【００１２】
請求項１記載の発明によれば、タブレット装着用の凹陥部１１の縦壁１２の上部が表示パネル９の上面よりも上方に設けられているため、ほこりや水が浸入し難くタブレット１０を適切に保護することができる。
【００１３】
請求項２記載の発明によれば、請求項１記載の発明の効果に加えて、透明の保護カバー１３がタブレット１０の上面を覆うため、ほこりや水からタブレット１０の表示面を保護することができる。
【００１４】
請求項３記載の発明によれば、請求項２記載の発明の効果に加えて、表示パネル９の凹陥部１１に対し、装填したタブレット１０をスポンジのような弾性体１５で保持してあるため、この弾性体１５が機体の振動を吸収し、タブレット１０を振動から保護することができる。
【００１５】
請求項４記載の発明によれば、請求項２又は請求項３記載の発明の効果に加えて、タブレット１０の下面と凹陥部１１の底面との間に空間部１７が形成されているので、タブレット１０自体の放熱性を保つことができる。
【００１６】
請求項５記載の発明によれば、請求項２又は請求項３又は請求項４記載の発明の効果に加えて、凹陥部１１の底部の通気孔１８から外気がタブレット１０の下面側に入り込むため、タブレット１０の放熱性をより向上させることができる。
【００１７】
請求項６記載の発明によれば、請求項４または請求項５に記載の発明の効果に加えて、タブレット１０と保護カバー１３との間に所定の空間部１７が保持されるので、タブレット１０の放熱性を保ち、液晶画面を保護することができる。
【図面の簡単な説明】
【００１８】
【図１】コンバインの平面図
【図２】表示パネルの平面図
【図３】同上要部の側断面図
【図４】表示パネルの平面図
【図５】同上要部の側断面図
【図６】別実施例の表示パネルの平面図
【図７】同上要部の側断面図
【図８】コンバインの脱穀部の側断面図
【図９】グレンシーブ間隙と層厚センサ検出量との関係グラフをしめす。
【図１０】グレンシーブの制御ブロック図
【発明を実施するための形態】
【００１９】
この発明の実施例を図面に基づき説明する。
【００２０】
図１は、作業車両の一例としてコンバインを示すもので、前部の刈取部１と、後部のフイードチエン２ａを有する脱穀部２を備えている。
【００２１】
刈取部１は、立毛する穀稈を左右に分草する分草具３と、分草後の穀稈を引起す引起し装置４と、引起し後の穀稈を刈り取るバリカン式刈刃と、刈取後の穀稈を掻込装置で掻き込んだ後、後方に持ち上げ搬送して脱穀部２に受け渡し供給する揚上搬送装置５等からなる。
【００２２】
刈取部１の横側には、運転席６が配置され、運転席の後側にグレンタンク７を装備し、その前側には、作業部各部を操作する操作レバー類を備えた操作ボックス８やこの操作ボックス８の運転席６側に対面してコンバイン各部の情報を表示する表示パネル９が設置されている。
【００２３】
本実施例では、タブレットを利用することにより、コンバイン本機と通信させて各情報を表示させるようにするが、タブレット１０は、図２及び図３に示すように、表示パネル９に装着する。すなわち、表示パネル９には、タブレット装填用の凹陥部１１が形成され、そして、この凹陥部１１の左右前後の縦壁１２上部を表示パネル９の上面よりも上方に突出させて突起部１２ａを形成している。すなわち、装着したタブレット１０の周囲が突起部１２ａによって囲われ、ほこりや水が浸入しにくくなり、タブレット１０を確実に保護することができる。
【００２４】
タブレット１０の上面は、透明の保護カバー１３で被覆され、この保護カバー１３は、簡単に着脱できるよう爪状の固定部材で固定されるようになっている。なお、保護カバー１３は容易に開閉できるよう揺動開閉する構成としてもよい。
【００２５】
保護カバー１３と突起部１２ａとの間にはシール１４を施して水の浸入を防ぐようにしている。
【００２６】
タブレットの前後の横辺および左右の縦辺の四辺からなる外周部は、弾性体１５を介して凹陥部１１の内縁部に保持し、振動からタブレットを保護するようにしている。この弾性体１５の一例としてスポンジ状の部材を挙げる。
【００２７】
また、前記タブレット１０の下面と、凹陥部１１の底面との間には、所定の大きさの空間部１７を形成し、弾性体１６ｄを介してタブレット１０の下面を保持する構成としている。
【００２８】
更に、凹陥部１１の底面には、通気孔１８を設けて通気性を良好にし、タブレット１０の放熱性向上を図るようにしている。
【００２９】
前記保護カバー１３とタブレット１０の上面（表示面）との間にも空間部１７を設け、弾性体１６ｕを介して保持する構成としている。従って、タブレット１０の放熱性はもとより液晶画面である表示面の保護及び振動からの保護を図ることができる。
【００３０】
図４及び図５に示す実施例では、タブレット装着部に警告表示パネル２０Ａを装着したもので、図５に示すように、タブレット１０を使用しない時でも最低限の情報を表示できるようにしたものである。
【００３１】
ウインカ指示灯２１は、タブレット装着部の外側の部位に配置することで、タブレット１０の表示ができなくなった時でも保安基準に適合する。
【００３２】
また、アワメータ２２においてもてタブレット１０装着部の外側の部位に配置することで、タブレット１０を接続することなく、アワメータ２２の確認が可能となる。
【００３３】
図６に示すように、タブレット装着部の外側にも警告表示パネル２０Ｂを設置することで、この警告表示パネル２０とタブレット１０の両方で表示するため、表示できる内容が増加する。
【００３４】
図７に示すように、タブレット１０の上面の保護カバー１３と一体に警告表示パネル２０Ｂをカバーすることができる。また、突起部１２ａの外周部に傾斜状部Ｔを形成することで、カバー１３の取り付けが容易となる。なお、傾斜状部Ｔにシールを設けておくと、タブレット１０や警告表示パネル２０Ｂを保護することができる。
【００３５】
次に、コンバインの穀物選別装置について説明する。
【００３６】
図８に示すように、扱胴２３を有する扱室２４の受網２５から漏下する脱穀物を受けて謡動選別する揺動選別装置（揺動選別棚）２６において、チャフシーブ２７から漏下する選別物を受けるグレンシーブ２８を、多数枚のシーブ板２９によって謡動開閉可能に構成して、各シーブ板の間隙を拡大および縮小調節自在な構成とすることで、選別物量に応じた調整を可能にしている。そして、揺動選別棚２６上の選別物量を検出する層厚センサ３０の選別物量検出結果により、グレンシーブ２８を開閉制御するようになっている。つまり、揺動選別棚２６上の選別物による負荷状態によりグレンシーブ２８の間隙を自動調整し、選別精度を高めるようにしている。
【００３７】
設定時間にわたる刈取作業後、層厚センサ３０の検出結果により、単位時間当たりの層厚増加量が設定値より大きくなると、グレンシーブ２８の間隙を開ける（広くする）方向に制御する構成とする。収量が多く１番螺旋に漏下しきれない穀粒が２番螺旋に回収されて揺動選別棚２６上に還元されるようになると、揺動選別棚２６の負荷が増大しつづけ、処理能力を超えると揺動選別棚２６から漏れ切れない単粒が揺動選別棚２６の後部から機外に排出されてしまい、急激にロスが増加する。これを防止するため、上記のように、揺動選別棚２６の単位時間当たりの負荷の増大を検出しグレンシーブ２８から漏れ切れない穀粒をなくして、２番還元物量を減少させ、揺動選別棚２６の負荷を軽減して、ロスを低減させることができる。
【００３８】
なお、図９は、層厚センサ３０による検出量の増加につれてグレンシーブ２８の間隙を段階的に広げていく状態を示す。
【００３９】
層厚センサ３０による検出値が設定値より低下すると、グレンシーブ２８の間隙を閉方向に変化させるように制御する。
【００４０】
図１０に制御ブロック図を示す。穀稈センサ３１がＯＦＦを検出すると、ＣＰＵ３２から制御モータ３３に出力がなされ、この制御モータ３３の作動によってグレンシーブ２８を開く方向に制御し、グレンシーブ２８の下側から揺動選別棚２６の上方へ唐箕３４からの選別風を送風させ、揺動選別棚２６後方への送風を低減させる構成としている。これによると、コーナ旋回時などにおいては、揺動選別棚２６上の選別物は少なくなり揺動選別棚２６の負荷が低減するので、選別風を弱める必要がある。従って、コーナ旋回時にグレンシーブ２８の間隙を開けることで、唐箕３４からの送風をグレンシーブ２８のシーブ面に当てて揺動選別棚２６上方へ方向転換することで選別風を弱め、また、グレンシーブ２８からの漏下性を向上させロスを低減させることができる。
【００４１】
機体旋回検出センサ３５が機体の旋回を検出することによっても、グレンシーブ２８の間隙を開く方向に制御し、グレンシーブ２８から揺動選別棚２６上方への選別風を送風させ、揺動選別棚２６後方への送風を低減させる手段をとることもできる。
【００４２】
機体前後傾斜センサ３６が設定傾斜角度以上の機体の前下がり傾斜を検出すると、グレンシーブ２８の間隙を閉じる方向に変化させる制御手段をとってもよい。すなわち、機体が前下がり傾斜すると、グレンシーブ２８のシーブ板が適正な状態から立ち上がった状態となり、選別物が大量に漏下し、選別精度が悪くなるため、上記のようにグレンシーブ２８の間隙を閉じる方向に変化させて対処することができる。また、逆に機体の後下がり傾斜を検出すると、グレンシーブ２８の間隙を開く方向に変化させる。機体が後下がり傾斜を検出すると、グレンシーブ２８が適正な状態から寝た状態となり、選別物が漏下しにくくなることでロスが多くなる。従って、これを防止するため、上記のようにグレンシーブ２８を開く方向に制御すればよい。
【符号の説明】
【００４３】
６    運転席
８    操作ボックス
９    表示パネル
１０   タブレット
１１    凹陥部
１２    縦壁
１３    保護カバー
１５    弾性体
１７    空間部
１８    通気孔
【図１】
2018117556.tif 000003
【図２】
2018117556.tif 000004
【図３】
2018117556.tif 000005
【図４】
2018117556.tif 000006
【図５】
2018117556.tif 000007
【図６】
2018117556.tif 000008
【図７】
2018117556.tif 000009
【図８】
2018117556.tif 000010
【図９】
2018117556.tif 000011
【図１０】
2018117556.tif 000012